【手続補正書】
【提出日】平成30年8月13日(2018.8.13)
【手続補正１】
【補正対象書類名】特許請求の範囲
【補正対象項目名】全文
【補正方法】変更
【補正の内容】
【特許請求の範囲】
【請求項１】
ワイヤレス通信中の周波数走査のための方法であって、
キャリア周波数のセットから決定される第１のチャネルラスタを識別することと、ここにおいて、前記第１のチャネルラスタは、ワイヤレスワイドエリアネットワーク（ＷＷＡＮ）に関して無認可スペクトル上で使用され、前記第１のチャネルラスタは、ワイヤレスローカルエリアネットワーク（ＷＬＡＮ）に関して前記無認可スペクトル上で使用されている第２のチャネルラスタにアラインされ、
前記第１のチャネルラスタを使用して、前記ＷＷＡＮに関して前記無認可スペクトル上で前記周波数走査を実行することと、
前記ＷＬＡＮに関連する信号に基づいて通信を適応させることと、
を備える、方法。
【請求項２】
前記第１のチャネルラスタは、ユーザ装置（ＵＥ）またはネットワークエンティティによってサポートされる前記ＷＷＡＮに関して前記無認可スペクトル上で使用される、請求項１に記載の方法。
【請求項３】
前記第１のチャネルラスタは、キャリアアグリゲーションを使用するＷＷＡＮに関する第１のチャネルラスタパターンに対応する、請求項１に記載の方法。
【請求項４】
前記第１のチャネルラスタは、キャリアアグリゲーションを使用するＷＷＡＮに関する第１のチャネルラスタパターンに対応し、
第３のチャネルラスタは、キャリア周波数の前記セットから決定され、およびＵＥによってサポートされる前記ＷＷＡＮに関して前記無認可スペクトル上で使用され、
前記第３のチャネルラスタは、前記第１のチャネルラスタパターンとは異なるキャリアアグリゲーションを使用するＷＷＡＮに関する第２のチャネルラスタパターンに対応する、
請求項１に記載の方法。
【請求項５】
前記第１のチャネルラスタパターンは、前記第２のチャネルラスタパターンからオフセットされる、請求項４に記載の方法。
【請求項６】
前記ＷＷＡＮは、ロングタームエボリューション（ＬＴＥ）ネットワークを含む、請求項１に記載の方法。
【請求項７】
前記ＷＬＡＮは、Ｗｉ−Ｆｉネットワークを含む、請求項１に記載の方法。
【請求項８】
キャリア周波数の前記セットは、キャリア周波数の複数のサブセットを含み、
各サブセットは、前記第２のチャネルラスタにおけるキャリア周波数にアラインされ、
各サブセットは、互いのサブセットと同じ数のキャリア周波数を有し、
各サブセット内の前記キャリア周波数は、等しく間隔を空けられ、
前記第１のチャネルラスタは、キャリア周波数の前記複数のサブセットから決定され、
サブセットにおけるキャリア周波数の前記数は５つ（５）であり、サブセットにおけるキャリア周波数間の前記間隔は、１００ｋＨｚである、
請求項１に記載の方法。
【請求項９】
ダウンリンク動作に関して、前記第１のチャネルラスタは、以下の式に基づいて決定されるキャリア周波数を含み、
【数１】
2017528086.tif 000001
ここで、ＦＤＬ＿ｌｏｗは開始キャリア周波数であり、ＮＤＬはそれぞれのＥ−ＵＴＲＡ絶対無線周波数チャネル番号（ＥＡＲＦＣＮ）であり、ＮＯｆｆｓｅｔ＿ＤＬは開始ＥＡＲＦＣＮである、請求項１に記載の方法。
【請求項１０】
ワイヤレス通信中の周波数走査のための装置であって、
キャリア周波数のセットから決定される第１のチャネルラスタを識別するための手段と、ここにおいて、前記第１のチャネルラスタは、ワイヤレスワイドエリアネットワーク（ＷＷＡＮ）に関して無認可スペクトル上で使用され、前記第１のチャネルラスタは、ワイヤレスローカルエリアネットワーク（ＷＬＡＮ）に関して前記無認可スペクトル上で使用されている第２のチャネルラスタにアラインされ、
前記第１のチャネルラスタを使用して、前記ＷＷＡＮに関して前記無認可スペクトル上で前記周波数走査を実行するための手段と、
前記ＷＬＡＮに関連する信号に基づいて通信を適応させるための手段と、
を備える、装置。
【請求項１１】
ユーザ装置（ＵＥ）またはネットワークエンティティによってサポートされる前記ＷＷＡＮに関して前記無認可スペクトル上で前記第１のチャネルラスタを使用するための手段をさらに備える、請求項１０に記載の装置。
【請求項１２】
前記第１のチャネルラスタは、キャリアアグリゲーションを使用するＷＷＡＮに関する第１のチャネルラスタパターンに対応する、請求項１０に記載の装置。
【請求項１３】
前記第１のチャネルラスタは、キャリアアグリゲーションを使用するＷＷＡＮに関する第１のチャネルラスタパターンに対応し、
キャリア周波数の前記セットから、ＵＥによってサポートされる前記ＷＷＡＮに関して前記無認可スペクトル上で使用される第３のチャネルラスタを決定するための手段、
前記第３のチャネルラスタは、前記第１のチャネルラスタパターンとは異なるキャリアアグリゲーションを使用するＷＷＡＮに関する第２のチャネルラスタパターンに対応する、
をさらに備える、請求項１０に記載の装置。
【請求項１４】
ダウンリンク動作に関して、前記第１のチャネルラスタは、以下の式に基づいて決定されるキャリア周波数を含み、
【数２】
2017528086.tif 000002
ここで、ＦＤＬ＿ｌｏｗは開始キャリア周波数であり、ＮＤＬはそれぞれのＥ−ＵＴＲＡ絶対無線周波数チャネル番号（ＥＡＲＦＣＮ）であり、ＮＯｆｆｓｅｔ＿ＤＬは開始ＥＡＲＦＣＮである、請求項１０に記載の装置。
【請求項１５】
プロセッサによって実行されるとき、請求項１乃至９のいずれか１項に記載の方法を実行するための命令を備える、コンピュータプログラム。
【手続補正２】
【補正対象書類名】明細書
【補正対象項目名】００５８
【補正方法】変更
【補正の内容】
【００５８】
[0063]  前述の開示は例示的な態様を示すが、添付の特許請求の範囲によって定義される本開示の範囲から逸脱することなく、ここで様々な変更および修正がなされることができることに留意されたい。ここに説明された本開示の態様による方法の請求項の機能、ステップ、および／またはアクションは、特定の順序で実行される必要はない。さらに、ある特定の態様は、単数形で説明され得るまたは特許請求され得るが、単数形への限定が明記されていない限り、複数形が考慮されている。
以下に、本願出願の当初の特許請求の範囲に記載された発明を付記する。
［Ｃ１］
ワイヤレス通信中の周波数走査のための方法であって、
キャリア周波数のセットから決定される第１のチャネルラスタを識別することと、ここにおいて、前記第１のチャネルラスタは、ワイヤレスワイドエリアネットワーク（ＷＷＡＮ）に関して無認可スペクトル上で使用され、前記第１のチャネルラスタは、ワイヤレスローカルエリアネットワーク（ＷＬＡＮ）に関して前記無認可スペクトル上で使用されている第２のチャネルラスタにアラインされ、
前記第１のチャネルラスタを使用して、前記ＷＷＡＮに関して前記無認可スペクトル上で前記周波数走査を実行することと、
を備える、方法。
［Ｃ２］
前記第１のチャネルラスタは、ユーザ装置（ＵＥ）またはネットワークエンティティによってサポートされる前記ＷＷＡＮに関して前記無認可スペクトル上のユーザである、Ｃ１に記載の方法。
［Ｃ３］
前記第１のチャネルラスタは、キャリアアグリゲーションを使用するＷＷＡＮに関する第１のチャネルラスタパターンに対応する、Ｃ１に記載の方法。
［Ｃ４］
前記第１のチャネルラスタは、キャリアアグリゲーションを使用するＷＷＡＮに関する第１のチャネルラスタパターンに対応し、
第３のチャネルラスタは、キャリア周波数の前記セットから決定され、およびＵＥによってサポートされる前記ＷＷＡＮに関して前記無認可スペクトル上で使用され、
前記第３のチャネルラスタは、前記第１のチャネルラスタパターンとは異なるキャリアアグリゲーションを使用するＷＷＡＮに関する第２のチャネルラスタパターンに対応する、
Ｃ１に記載の方法。
［Ｃ５］
前記第１のチャネルラスタパターンは、前記第２のチャネルラスタパターンからオフセットされる、Ｃ４に記載の方法。
［Ｃ６］
前記ＷＷＡＮは、ロングタームエボリューション（ＬＴＥ）ネットワークを含む、Ｃ１に記載の方法。
［Ｃ７］
前記ＷＬＡＮは、Ｗｉ−Ｆｉネットワークを含む、Ｃ１に記載の方法。
［Ｃ８］
キャリア周波数の前記セットは、キャリア周波数の複数のサブセットを含み、
各サブセットは、前記第２のチャネルラスタにおけるキャリア周波数にアラインされ、
各サブセットは、互いのサブセットと同じ数のキャリア周波数を有し、
各サブセット内の前記キャリア周波数は、等しく間隔を空けられ、
前記第１のチャネルラスタは、キャリア周波数の前記複数のサブセットから決定される、
Ｃ１に記載の方法。
［Ｃ９］
サブセットにおけるキャリア周波数の前記数は５つ（５）であり、サブセットにおけるキャリア周波数間の前記間隔は、１００ｋＨｚである、Ｃ８に記載の方法。
［Ｃ１０］
ダウンリンク動作に関して、前記第１のチャネルラスタは、以下の式に基づいて決定されるキャリア周波数を含み、
【数３】
2017528086.tif 000003
ここで、ＦＤＬ＿ｌｏｗは開始キャリア周波数であり、ＮＤＬはそれぞれのＥ−ＵＴＲＡ絶対無線周波数チャネル番号（ＥＡＲＦＣＮ）であり、ＮＯｆｆｓｅｔ＿ＤＬは開始ＥＡＲＦＣＮである、Ｃ１に記載の方法。
［Ｃ１１］
ワイヤレス通信中の周波数走査のための装置であって、
キャリア周波数のセットから決定される第１のチャネルラスタを識別するための手段と、ここにおいて、前記第１のチャネルラスタは、ワイヤレスワイドエリアネットワーク（ＷＷＡＮ）に関して無認可スペクトル上で使用され、前記第１のチャネルラスタは、ワイヤレスローカルエリアネットワーク（ＷＬＡＮ）に関して前記無認可スペクトル上で使用されている第２のチャネルラスタにアラインされ、
前記第１のチャネルラスタを使用して、前記ＷＷＡＮに関して前記無認可スペクトル上で前記周波数走査を実行するための手段と、
を備える、装置。
［Ｃ１２］
前記第１のチャネルラスタは、ユーザ装置（ＵＥ）またはネットワークエンティティによってサポートされる前記ＷＷＡＮに関して前記無認可スペクトル上のユーザである、Ｃ１１に記載の装置。
［Ｃ１３］
前記第１のチャネルラスタは、キャリアアグリゲーションを使用するＷＷＡＮに関する第１のチャネルラスタパターンに対応する、Ｃ１１に記載の装置。
［Ｃ１４］
前記第１のチャネルラスタは、キャリアアグリゲーションを使用するＷＷＡＮに関する第１のチャネルラスタパターンに対応し、
第３のチャネルラスタは、キャリア周波数の前記セットから決定され、およびＵＥによってサポートされる前記ＷＷＡＮに関して前記無認可スペクトル上で使用され、
前記第３のチャネルラスタは、前記第１のチャネルラスタパターンとは異なるキャリアアグリゲーションを使用するＷＷＡＮに関する第２のチャネルラスタパターンに対応する、
Ｃ１１に記載の装置。
［Ｃ１５］
ダウンリンク動作に関して、前記第１のチャネルラスタは、以下の式に基づいて決定されるキャリア周波数を含み、
【数４】
2017528086.tif 000004
ここで、ＦＤＬ＿ｌｏｗは開始キャリア周波数であり、ＮＤＬはそれぞれのＥ−ＵＴＲＡ絶対無線周波数チャネル番号（ＥＡＲＦＣＮ）であり、ＮＯｆｆｓｅｔ＿ＤＬは開始ＥＡＲＦＣＮである、Ｃ１１に記載の装置。
［Ｃ１６］
ワイヤレス通信中の周波数走査のためのコンピュータによって実行可能なコードを記憶したコンピュータ読み取り可能な媒体であって、
キャリア周波数のセットから決定される第１のチャネルラスタを識別するためのコードと、ここにおいて、前記第１のチャネルラスタは、ワイヤレスワイドエリアネットワーク（ＷＷＡＮ）に関して無認可スペクトル上で使用され、前記第１のチャネルラスタは、ワイヤレスローカルエリアネットワーク（ＷＬＡＮ）に関して前記無認可スペクトル上で使用されている第２のチャネルラスタにアラインされ、
前記第１のチャネルラスタを使用して、前記ＷＷＡＮに関して前記無認可スペクトル上で前記周波数走査を実行するためのコードと、
を備える、コンピュータ読み取り可能な媒体。
［Ｃ１７］
前記第１のチャネルラスタは、ユーザ装置（ＵＥ）またはネットワークエンティティによってサポートされる前記ＷＷＡＮに関して前記無認可スペクトル上のユーザである、Ｃ１６に記載のコンピュータ読み取り可能な媒体。
［Ｃ１８］
前記第１のチャネルラスタは、キャリアアグリゲーションを使用するＷＷＡＮに関する第１のチャネルラスタパターンに対応する、Ｃ１６に記載のコンピュータ読み取り可能な媒体。
［Ｃ１９］
前記第１のチャネルラスタは、キャリアアグリゲーションを使用するＷＷＡＮに関する第１のチャネルラスタパターンに対応し、
第３のチャネルラスタは、キャリア周波数の前記セットから決定され、およびＵＥによってサポートされる前記ＷＷＡＮに関して前記無認可スペクトル上で使用され、
前記第３のチャネルラスタは、前記第１のチャネルラスタパターンとは異なるキャリアアグリゲーションを使用するＷＷＡＮに関する第２のチャネルラスタパターンに対応する、
Ｃ１６に記載のコンピュータ読み取り可能な媒体。
［Ｃ２０］
ダウンリンク動作に関して、前記第１のチャネルラスタは、以下の式に基づいて決定されるキャリア周波数を含み、
【数５】
2017528086.tif 000005
ここで、ＦＤＬ＿ｌｏｗは開始キャリア周波数であり、ＮＤＬはそれぞれのＥ−ＵＴＲＡ絶対無線周波数チャネル番号（ＥＡＲＦＣＮ）であり、ＮＯｆｆｓｅｔ＿ＤＬは開始ＥＡＲＦＣＮである、Ｃ１６に記載のコンピュータ読み取り可能な媒体。
［Ｃ２１］
ワイヤレス通信中の周波数走査のための装置であって、
トランシーバと、
データを記憶するように構成されるメモリと、
少なくとも１つのバスを介して前記トランシーバおよび前記メモリに通信的に結合された１つまたは複数のプロセッサと、
を備え、
ここにおいて、前記１つまたは複数のプロセッサおよび前記メモリは、
キャリア周波数のセットから決定される第１のチャネルラスタを識別することと、ここにおいて、前記第１のチャネルラスタは、ワイヤレスワイドエリアネットワーク（ＷＷＡＮ）に関して無認可スペクトル上で使用され、前記第１のチャネルラスタは、ワイヤレスローカルエリアネットワーク（ＷＬＡＮ）に関して前記無認可スペクトル上で使用されている第２のチャネルラスタにアラインされ、
前記トランシーバを介して、前記第１のチャネルラスタを使用して、前記ＷＷＡＮに関して前記無認可スペクトル上で前記周波数走査を実行することと、
を行うように構成される、装置。
［Ｃ２２］
前記第１のチャネルラスタは、ユーザ装置（ＵＥ）またはネットワークエンティティによってサポートされる前記ＷＷＡＮに関して前記無認可スペクトル上のユーザである、Ｃ２１に記載の装置。
［Ｃ２３］
前記第１のチャネルラスタは、キャリアアグリゲーションを使用するＷＷＡＮに関する第１のチャネルラスタパターンに対応する、Ｃ２１に記載の装置。
［Ｃ２４］
前記第１のチャネルラスタは、キャリアアグリゲーションを使用するＷＷＡＮに関する第１のチャネルラスタパターンに対応し、
第３のチャネルラスタは、キャリア周波数の前記セットから決定され、およびＵＥによってサポートされる前記ＷＷＡＮに関して前記無認可スペクトル上で使用され、
前記第３のチャネルラスタは、前記第１のチャネルラスタパターンとは異なるキャリアアグリゲーションを使用するＷＷＡＮに関する第２のチャネルラスタパターンに対応する、
Ｃ２１に記載の装置。
［Ｃ２５］
前記第１のチャネルラスタパターンは、前記第２のチャネルラスタパターンからオフセットされる、Ｃ２４に記載の装置。
［Ｃ２６］
前記ＷＷＡＮは、ロングタームエボリューション（ＬＴＥ）ネットワークを含む、Ｃ２１に記載の装置。
［Ｃ２７］
前記ＷＬＡＮは、Ｗｉ−Ｆｉネットワークを含む、Ｃ２１に記載の装置。
［Ｃ２８］
キャリア周波数の前記セットは、キャリア周波数の複数のサブセットを含み、
各サブセットは、前記第２のチャネルラスタにおけるキャリア周波数にアラインされ、
各サブセットは、互いのサブセットと同じ数のキャリア周波数を有し、
各サブセット内の前記キャリア周波数は、等しく間隔を空けられ、
前記第１のチャネルラスタは、キャリア周波数の前記複数のサブセットから決定される、
Ｃ２１に記載の装置。
［Ｃ２９］
サブセットにおけるキャリア周波数の前記数は５つ（５）であり、サブセットにおけるキャリア周波数間の前記間隔は、１００ｋＨｚである、Ｃ２８に記載の装置。
［Ｃ３０］
ダウンリンク動作に関して、前記第１のチャネルラスタは、以下の式に基づいて決定されるキャリア周波数を含み、
【数６】
2017528086.tif 000006
ここで、ＦＤＬ＿ｌｏｗは開始キャリア周波数であり、ＮＤＬはそれぞれのＥ−ＵＴＲＡ絶対無線周波数チャネル番号（ＥＡＲＦＣＮ）であり、ＮＯｆｆｓｅｔ＿ＤＬは開始ＥＡＲＦＣＮである、Ｃ２１に記載の装置。